(57)【要約】【課題】操作入力手段として利用する装置が、通話時にユーザが利用する端末として機能することを通知すること。【解決手段】情報処理装置において通話関連処理が実行された場合、通話関連処理を実行したことを示す処理実行通知信号を送受信部を介して受信し、処理実行通知信号に基づき、情報処理装置によって実行された通話関連処理を報知する報知部を備える。【選択図】図２
2013066011.tif 000002
【特許請求の範囲】
【請求項１】
基地局を介して通話先との通話接続を行う情報処理装置と、前記情報処理装置に対する操作を入力する操作入力装置とを備える通話制御システムにおいて、
前記情報処理装置は、
前記基地局を介して通話先と無線通信を行う無線通信部と、
前記操作入力装置との間で情報の送受信を行う第１送受信部と、
前記通話先との通信接続を行うための通話関連処理を実行する通話関連処理部と、
前記通話関連処理を実行した場合、当該通話関連処理の種類に応じて前記通話関連処理を実行したことを示す処理実行通知信号を生成し、生成した前記処理実行通知信号を前記第１送受信部を介して前記操作入力装置に送信するよう制御する通知制御部と、を備え、
前記操作入力装置は、
操作を受け付け、当該操作を示す操作情報を出力する操作入力部と、
音声を入力する操作側マイクと、
音声を出力する操作側スピーカーと
前記マイクから入力した音声を前記情報処理装置に送信する情報に変換し、前記情報処理装置から受信した音声データを前記スピーカーに出力する情報に変換する操作側音声データ処理部と、
前記情報処理装置との間で情報の送受信を行う第２送受信部と、
前記処理実行通知信号に基づき、前記情報処理装置によって実行された通話関連処理を報知する報知部と、
を備えることを特徴とする通話制御システム。
【請求項２】
前記情報処理装置は、
前記通話関連処理部が前記通話関連処理を実行する際、前記操作入力装置から前記第１送受信部を介して受信した前記操作情報に基づく前記通話関連処理の実行を制限する操作処理制限部と、
を備えることを特徴とする請求項１に記載の通話制御システム。
【請求項３】
前記操作処理制限部は、
前記通話関連処理部が前記通話関連処理の実行を開始したときから、予め決められた制限待機時間を経過したか否かを判定し、当該制限待機時間を経過したと判定した場合、前記操作情報に基づく前記通話関連処理の実行を制限することを特徴とする請求項２に記載の通話制御システム。
【請求項４】
前記情報処理装置は、
前記操作入力装置から前記第１送受信部を介して受信した前記操作情報に基づく前記情報処理の実行結果を表示する表示部と、
前記操作処理制御部により前記通話関連処理の実行が制限されている場合、前記操作情報が示す操作の前記表示部における表示形態が、前記通話関連処理の実行が制限されていない場合の前記表示形態と異なるように制御する表示制御部と、
をさらに備えることを特徴とする請求項３に記載の通話制御システム。
【請求項５】
前記情報処理装置は、
操作を受け付け、当該操作を示す操作情報を出力する情報処理装置操作部と、
前記通話関連処理部が前記通話関連処理を実行する場合、前記情報処理装置操作部からの前記操作情報に基づく前記通話関連処理を実行できる有効状態に設定する操作処理許可部と、
をさらに備えることを特徴とする請求項１から４のうちいずれか一項に記載の通話制御システム。
【請求項６】
前記操作入力装置は、
当該操作入力装置の位置が移動された場合、移動された移動方向および移動量を検出する移動検出部をさらに備え、
前記情報処理装置は、
前記移動検出部によって検出された前記操作入力装置の移動方向および移動量に基づき、前記操作入力装置の移動の軌跡を判定し、当該操作入力装置の移動の軌跡に応じた前記通話関連処理の実行を前記通話関連処理部に指示する移動軌跡判定部と、
をさらに備えることを特徴とする請求項１から５のうちいずれか一項に記載の通話制御システム。
【請求項７】
前記情報処理装置は、
近くに前記操作入力装置が存在しているか否かを判定し、近くに前記操作入力装置が存在していると判定した場合、前記通話関連処理のうち着信側の着信処理を実行するよう前記通話関連処理部に指示する第１近接判定部と、
をさらに備えることを特徴とする請求項１から６のうちいずれか一項に記載の通話制御システム。
【請求項８】
前記情報処理装置は、
前記第１送受信部を介して前記操作入力装置から受信する前記操作情報に基づき、前記操作入力装置に対する操作状況を判定し、前記操作入力装置が操作を受け付けていない時間が予め決められた操作受付判定時間未満であった場合、前記通話関連処理のうち着信側の着信処理の実行が指示された際、前記着信処理を実行していることを前記情報処理装置の表示部に表示させる操作状況判定部と、
をさらに備えることを特徴とする請求項１から７のうちいずれか一項に記載の通話制御システム。
【請求項９】
前記操作状況判定部は、
前記操作入力装置が操作を受け付けていない時間が予め決められた操作受付判定時間以上であった場合、着信処理の実行が指示された際、前記着信処理を実行していることを示す前記処理実行通知信号を生成し、前記第１送受信部を介して前記操作入力装置に送信するよう制御することを特徴とする請求項８に記載の通話制御システム。
【請求項１０】
前記通知制御部は、
前記通話関連処理のうち、前記情報処理装置が着信側である場合の着信処理、前記情報処理装置が発信側である場合の発信処理、および、前記情報処理装置が通話先と通話中である場合の通話処理を実行した場合、これら処理を実行したことを示す前記処理実行通知信号を生成し、前記第１送受信部を介して前記操作入力装置に送信するよう制御することを特徴とする請求項１から９のうちいずれか一項に記載の通話制御システム。
【請求項１１】
前記操作処理制限部は、
前記通話関連処理部において前記通話関連処理を実行する際の通話モードとして、前記操作入力装置を使用するマウス通話モードが設定されている場合、前記操作入力装置から前記第１送受信部を介して受信した前記操作情報に基づく前記通話関連処理の実行を制限することを特徴とする請求項２に記載の通話制御システム。
【請求項１２】
操作処理制限部と、
前記通話関連処理部において前記通話関連処理を実行する際の通話モードとして、前記操作入力装置を使用しない本体通話モードが設定されている場合、前記操作入力装置から前記第１送受信部を介して受信した前記操作情報に基づく前記通話関連処理の実行を許可することを特徴とする請求項５に記載の通話制御システム。
【請求項１３】
前記情報処理装置は、
近くに前記操作入力装置が存在しているか否かを判定し、近くに前記操作入力装置が存在していると判定した場合、前記通話関連処理部において前記通話関連処理を実行する際の通話モードの設定を、前記操作入力装置を使用するマウス通話モードと前記操作入力装置を使用しない本体通話モード間で切り換える第２近接判定部とを備えることを特徴とする請求項１から１２のうちいずれか一項に記載の通話制御システム。
【請求項１４】
基地局を介して通話先との通話接続を行う情報処理装置に対する操作を入力する操作入力装置において、
操作を受け付け、当該操作を示す操作情報を出力する操作入力部と、
音声を入力する操作側マイクと、
音声を出力する操作側スピーカーと
前記操作側マイクから入力した音声を前記情報処理装置に送信する情報に変換し、前記情報処理装置から受信した音声データを前記操作側スピーカーに出力する情報に変換する操作側音声データ処理部と、
前記情報処理装置との間で情報の送受信を行う送受信部と、
前記情報処理装置において通話関連処理が実行された場合、前記通話関連処理を実行したことを示す処理実行通知信号を前記送受信を介して受信し、前記処理実行通知信号に基づき、前記情報処理装置によって実行された通話関連処理を報知する報知部と、
を備えることを特徴とする操作入力装置。
【請求項１５】
基地局を介して通話先との通話接続を行う情報処理装置において、
前記基地局を介して通話先と無線通信を行う無線通信部と、
前記情報処理装置に対する操作を入力する操作入力装置との間で情報の送受信を行う送受信部と、
前記通話先との通信接続を行うための通話関連処理を実行する通話関連処理部と、
前記通話関連処理を実行した場合、当該通話関連処理の種類に応じて前記通話関連処理を実行したことを示す処理実行通知信号を生成し、生成した前記処理実行通知信号を前記送受信部を介して前記操作入力装置に送信するよう制御する通知制御部と、
前記通話関連処理部が前記通話関連処理を実行する際、前記操作入力装置から前記送受信部を介して受信した前記操作情報に基づく前記通話関連処理の実行を制限する操作処理制限部と、
を備えることを特徴とする情報処理装置。
【請求項１６】
コンピュータを、
操作を受け付け、当該操作を示す操作情報を出力する操作入力手段、
音声を入力するマイク手段、
音声を出力するスピーカー手段、
情報処理装置との間で情報の送受信を行う送受信手段、
前記マイク手段から入力した音声を前記情報処理装置に送信する情報に変換し、前記情報処理装置から受信した音声データを前記スピーカー手段に出力する情報に変換する操作側音声データ処理手段、
前記情報処理装置において通話関連処理が実行された場合、前記通話関連処理を実行したことを示す処理実行通知信号を前記送受信を介して受信し、前記処理実行通知信号に基づき、前記情報処理装置によって実行された通話関連処理を報知する報知手段、
として機能させる操作入力プログラム。
【請求項１７】
コンピュータを、
基地局を介して通話先と無線通信を行う無線通信手段、
前記コンピュータに対する操作を入力する操作入力装置との間で情報の送受信を行う送受信手段、
前記通話先との通信接続を行うための通話関連処理を実行する通話関連処理手段、
前記通話関連処理を実行した場合、当該通話関連処理の種類に応じて前記通話関連処理を実行したことを示す処理実行通知信号を生成し、生成した前記処理実行通知信号を送受信部を介して前記操作入力装置に送信するよう制御する通知制御手段、
前記通話関連処理手段が前記通話関連処理を実行する際、前記操作入力装置から前記送受信部を介して受信した前記操作情報に基づく前記通話関連処理の実行を制限する操作処理制限手段、
として機能させる情報処理プログラム。
【発明の詳細な説明】
【技術分野】
【０００１】
本発明は、通話制御システム、操作入力装置、情報処理装置、操作入力プログラム、および情報処理プログラムに関する。
【背景技術】
【０００２】
例えば、情報処理を実行するコンピュータ本体と、このコンピュータ本体を操作するためのマウスを使用して、通話先と通話するものがある（例えば、特許文献１参考）。
この場合、コンピュータ本体とマウスとの間で情報の送受信を中継する無線マウス受信部が、通話の音声の入出力を行うマイクとスピーカーを備えており、通話するには、無線マウス受信部を介在させる必要があった。
【先行技術文献】
【特許文献】
【０００３】
【特許文献１】特開２００１−１８９８１３号公報
【発明の概要】
【発明が解決しようとする課題】
【０００４】
しかしながら、無線マウス受信部を用意する必要があり、ユーザにとって不便であった。また、通話の際には、一般的に、受話器を耳元にあてたり、マイクを搭載したイヤフォンを装着するなどして、通話しなければ、会話の内容が、周囲の人に聞こえてしまう。
そこで、無線マウス受信部のように新たな装置を用意することなく、現在使用しているマウスを受話器の代わりに利用しようとした場合、ユーザは、通常、マウスを操作入力手段として利用しているため、通話時にマウスを受話器として利用することに気づき難い問題があった。
【０００５】
本発明は、上記課題を解決することができる通話制御システム、操作入力装置、情報処理装置、操作入力プログラム、および情報処理プログラムを提供することを目的とする。
【課題を解決するための手段】
【０００６】
この発明は上述した課題を解決するためになされたもので、本発明の一態様による通話制御システムは、基地局を介して通話先との通話接続を行う情報処理装置と、前記情報処理装置に対する操作を入力する操作入力装置とを備える通話制御システムにおいて、前記情報処理装置は、前記基地局を介して通話先と無線通信を行う無線通信部と、前記操作入力装置との間で情報の送受信を行う第１送受信部と、前記通話先との通信接続を行うための通話関連処理を実行する通話関連処理部と、前記通話関連処理と異なる情報処理を実行する情報処理部と、前記通話関連処理を実行した場合、当該通話関連処理の種類に応じて前記通話関連処理を実行したことを示す処理実行通知信号を生成し、生成した前記処理実行通知信号を前記第１送受信部を介して前記操作入力装置に送信するよう制御する通知制御部と、を備え、前記操作入力装置は、操作を受け付け、当該操作を示す操作情報を出力する操作入力部と、音声を入力する操作側マイクと、音声を出力する操作側スピーカーと、前記マイクから入力した音声を前記情報処理装置に送信する情報に変換し、前記情報処理装置から受信した音声データを前記スピーカーに出力する情報に変換する操作側音声データ処理部と、前記情報処理装置との間で情報の送受信を行う第２送受信部と、前記処理実行通知信号に基づき、前記情報処理装置によって実行された通話関連処理を報知する報知部と、を備える。
【０００７】
この発明は上述した課題を解決するためになされたもので、本発明の一態様による操作入力装置は、基地局を介して通話先との通話接続を行う情報処理装置に対する操作を入力する操作入力装置において、操作を受け付け、当該操作を示す操作情報を出力する操作入力部と、音声を入力する操作側マイクと、音声を出力する操作側スピーカーと、前記操作側マイクから入力した音声を前記情報処理装置に送信する情報に変換し、前記情報処理装置から受信した音声データを前記操作側スピーカーに出力する情報に変換する操作側音声データ処理部と、前記情報処理装置との間で情報の送受信を行う送受信部と、前記情報処理装置において通話関連処理が実行された場合、前記通話関連処理を実行したことを示す処理実行通知信号を前記送受信を介して受信し、前記処理実行通知信号に基づき、前記情報処理装置によって実行された通話関連処理を報知する報知部と、を備える。
【０００８】
この発明は上述した課題を解決するためになされたもので、本発明の一態様による情報処理装置は、基地局を介して通話先との通話接続を行う情報処理装置において、前記基地局を介して通話先と無線通信を行う無線通信部と、前記情報処理装置に対する操作を入力する操作入力装置との間で情報の送受信を行う送受信部と、前記通話先との通信接続を行うための通話関連処理を実行する通話関連処理部と、前記通話関連処理を実行した場合、当該通話関連処理の種類に応じて前記通話関連処理を実行したことを示す処理実行通知信号を生成し、生成した前記処理実行通知信号を前記送受信部を介して前記操作入力装置に送信するよう制御する通知制御部と、前記通話関連処理部が前記通話関連処理を実行する際、前記操作入力装置から前記送受信部を介して受信した前記操作情報に基づく前記通話関連処理の実行を制限する操作処理制限部と、を備える。
【０００９】
この発明は上述した課題を解決するためになされたもので、本発明の一態様による操作入力プログラムは、コンピュータを、操作を受け付け、当該操作を示す操作情報を出力する操作入力手段、音声を入力するマイク手段、音声を出力するスピーカー手段、情報処理装置との間で情報の送受信を行う送受信手段、前記マイク手段から入力した音声を前記情報処理装置に送信する情報に変換し、前記情報処理装置から受信した音声データを前記スピーカー手段に出力する情報に変換する操作側音声データ処理手段、前記情報処理装置において通話関連処理が実行された場合、前記通話関連処理を実行したことを示す処理実行通知信号を前記送受信を介して受信し、前記処理実行通知信号に基づき、前記情報処理装置によって実行された通話関連処理を報知する報知手段、として機能させる操作入力プログラムである。
【００１０】
この発明は上述した課題を解決するためになされたもので、本発明の一態様による情報処理プログラムは、コンピュータを、基地局を介して通話先と無線通信を行う無線通信手段、前記コンピュータに対する操作を入力する操作入力装置との間で情報の送受信を行う送受信手段、前記通話先との通信接続を行うための通話関連処理を実行する通話関連処理手段、前記通話関連処理を実行した場合、当該通話関連処理の種類に応じて前記通話関連処理を実行したことを示す処理実行通知信号を生成し、生成した前記処理実行通知信号を送受信部を介して前記操作入力装置に送信するよう制御する通知制御手段、前記通話関連処理手段が前記通話関連処理を実行する際、前記操作入力装置から前記送受信部を介して受信した前記操作情報に基づく前記通話関連処理の実行を制限する操作処理制限手段、として機能させる情報処理プログラムである。
【発明の効果】
【００１１】
本発明によれば、操作入力手段として利用する装置が、通話時にユーザが利用する端末として機能することを通知することができる。
【図面の簡単な説明】
【００１２】
【図１】本発明の一実施形態に係る通話制御システムの概要を示す図である。
【図２】本発明の一実施形態に係るコンピュータとマウスの基本的な構成要素を示したブロック図である。
【図３】本発明の一実施形態に係るコンピュータ１の中央制御部１０２の構成の一例を示すブロック図である。
【図４】本発明の一実施形態に係る通話システムにおける発信処理の一例について説明するフローチャートである。
【図５】本発明の一実施形態に係る通話システムにおける着信処理の一例について説明するフローチャートである。
【図６】本発明の他の実施形態に係る着信処理の他の例について説明するフローチャートである。
【図７】本発明の他の実施形態に係る通話システムにおける通話処理の一例について説明するフローチャートである。
【図８】本発明の他の実施形態に係る通話システムにおける通話処理Ａの一例について説明するフローチャートである。
【図９】本発明の他の実施形態に係る通話システムにおける通話処理Ｂの一例について説明するフローチャートである。
【発明を実施するための形態】
【００１３】
以下、図面を参照して本発明の一実施形態について説明する。図１は、本発明の一実施形態に係る通話制御システムの概要を示す図である。
本実施形態は、本発明に係る情報処理装置としてコンピュータ１を適用した場合を例示したものである。図１は、このコンピュータが利用可能な通信ネットワークシステムを示したブロック図である。
コンピュータ１には、通話機能、電子メール機能、インターネット接続機能（Ｗｅｂアクセス機能）のほか、デジタルテレビ放送（例えば、ワンセグ地上デジタルテレビ放送）を受信して視聴が可能なテレビ機能などが備えられている。なお、本発明に係る情報装置は、例えば、ＰＤＡ（Ｐｅｒｓｏｎａｌ Ｄｉｇｉｔａｌ Ａｓｓｉｓｔａｎｔ）、スマートフォン、タブレット型端末、ノートパソコン型端末等として利用されるコンピュータである。
【００１４】
コンピュータ１は、最寄りの基地局２Ａと交換機２Ｂとを介して、無線通信網（移動体通信網）２に接続されると、この無線通信網２を介して他の携帯電話端末３との間で通話可能な状態となる。なお、本実施形態では、コンピュータ１の通話先が携帯電話端末３である例について説明するが、本発明はこれに限られず、本実施形態に係るコンピュータ１と同様の構成を有する装置や固定電話等が通話先であってもよい。
また、コンピュータ１は、無線通信網２を介してインターネット４に接続されると、Ｗｅｂサイトをアクセスして閲覧可能となり、また、サーバ５から動画、静止画、音楽、ニュース、音楽などのマルチメディアのコンテンツをインターネット４、無線通信網２を介してダウンロードして再生するストリーミングが可能となる。
【００１５】
さらに、コンピュータ１は、本発明の操作入力装置にかかるマウス６と通信可能に接続されている。このマウス６は、ユーザからの操作を受け付け、受け付けた操作を示す操作情報をコンピュータ１に送信する。コンピュータ１は、受信した操作情報に基づき所定の処理を実行する。また、マウス６は、マイクやスピーカーを備え、コンピュータ１が通話機能を発揮しているときに受話器としての役割を果たすものである。なお、コンピュータ１にも、マイクやスピーカーが搭載されており、ハンズフリー通話やコンピュータ本体での通話が設定されている場合、マウス６を受話器としてではなく、コンピュータ１を操作する操作入力手段として利用することができる。
なお、本発明に係る操作入力装置は、マウスに限られず、例えば、ペンタイプの操作入力手段や、マイク付きのイヤフォンと接続されるキーボードタイプの操作入力手段であってもよい。
【００１６】
図２は、コンピュータ１とマウス６の基本的な構成要素を示したブロック図である。
コンピュータ１は、記憶部１０１と、中央制御部１０２と、アンテナ１０３と、無線通信部１０４と、音声データ処理部１０５と、マイク１０６と、スピーカー１０７と、タッチパネル１０８と、計時部１０９と、送受信部１１０と、近接センサー１１１と、報知部１１２と、を備える。
マウス６は、記憶部６０１と、中央制御部６０２と、音声データ処理部６０５と、マイク６０６と、スピーカー６０７と、移動検出部６０８と、送受信部６１０と、報知部６１２と、を備える。
【００１７】
はじめに、コンピュータ１の構成について説明する。
記憶部１０１は、コンピュータ１の処理に用いる種々の情報を記憶する。この記憶部１０１は、例えば、プログラム記憶領域Ｍ１と、一時記憶領域Ｍ２と、を含む。なお、記憶部１０１は、例えば、ＳＤカード、ＩＣカードなど、着脱自在な可搬型メモリ（記録メディア）を含む構成であってもよく、図示しない所定の外部サーバ上にあってもよい。
プログラム記憶領域Ｍ１は、所定の動作手順に応じて本実施形態を実現するためのプログラムや各種のアプリケーションなどを記憶する記憶領域である。
一時記憶領域Ｍ２は、コンピュータ１が動作するために必要な各種の情報を一時的に記憶する記憶領域である。
中央制御部１０２は、記憶部１０１内の各種のプログラムに従って、コンピュータ１の全体動作を制御する中央演算処理装置やメモリなどを有している。なお、中央制御部１０２内の各構成の説明については、図３を参照して後述する。
【００１８】
無線通信部１０４は、無線部１４１、ベースバンド部１４２、多重分離部１４３などを備える。この無線部１４１は、例えば、通話機能、電子メール機能、インターネット接続機能などの動作時に、アンテナ１０３を介して、最寄りの基地局２Ａとの間でデータの送受信を行う。
無線通信部１０４は、通話機能が動作している時に、無線部１４１が受信した音声データを、ベースバンド部１４２の受信側から取り込んで復調した後、通話モードがハンズフリー通話モードに設定されている場合、音声データ処理部１０５を介してスピーカー１０７から音声を出力させる。また、通話モードがマウス通話モードに設定されている場合、無線通信部１０４は、ベースバンド部１４２によって復調された音声データを送受信部１１０を介してマウス６に送信する。マウス６の音声データ処理部６０５は、受信した音声データに基づき、自身が備えるスピーカー６０７から音声を出力する。
さらに、無線通信部１０４は、ハンズフリー通話モードに設定されている場合、マイク１０６からの入力音声データを音声データ処理部１０５から取り込み、多重分離部１４３を介して符号化した後、ベースバンド部１４２の送信側に入力させる。また、通話モードがマウス通話モードに設定されている場合、無線通信部１０４は、マウス６のマイク６０６が入力した入力音声データをマウス６から受信して、多重分離部１４３を介して符号化した後、ベースバンド部１４２の送信側に入力させる。
なお、ハンズフリー通話モードとは、マウス６を使わずに、コンピュータ１のマイク１０６とスピーカー１０７とを利用してユーザが通話する通話モードである。マウス通話モードとは、マウス６を受話器として利用してユーザが通話する通話モードである。
【００１９】
音声データ処理部１０５は、無線通信部１０４によって復調された音声データが入力されると、入力した音声データに基づき、スピーカー１０７から音声を出力させる。また、音声データ処理部１０５は、マイク１０６からの入力音声データが入力されると、音声データを符号化した後、無線通信部１０４のベースバンド部の送信側に出力する。
【００２０】
タッチパネル１０８は、操作部１８１と表示部１８２とを含む。
操作部１８１は、ユーザからの操作を受け付けるセンサーを備え、センサーによる検出結果を中央制御部１０２に出力する。本実施形態において、操作部１８１は、操作画面に接触するユーザの指の接触位置、一定時間間隔毎に、センサーにより検出し、このセンサーの検出結果を出力する。なお、本発明はこれに限られず、例えば、操作画面に近接するユーザの指や操作指示手段等の位置と時間を非接触センサーにより検出するものであってもよい。
表示部１８２は、中央制御部１０２の制御に応じた表示内容を表示する。本実施形態において、表示部１８２は、タッチパネル１０８として操作部１８１と一体的に設けられており、操作部１８１が操作を受け付ける際の操作画面を表示する。
なお、操作部１８１と表示部１８２とは、タッチパネル１０８でなくてもよく、コンピュータ１に搭載されているボタンやキーボード等の操作手段や、外部キーボード、あるいは、外部モニタのディスプレイ等であってもよい。
【００２１】
計時部１０９は、一定の時間間隔でクロック信号を中央制御部１０２に出力する。
送受信部１１０は、コンピュータ１とマウス６とを通信可能に接続し、マウス６との間で情報の送受信を行う。この送受信部１１０は、有線でマウス６と接続されるものであってもよく、無線でマウス６と接続されるものであってもよい。
近接センサー１１１は、例えば、誘導型、静電容量型、超音波型、電磁波型、赤外線型等の近接センサーであって、コンピュータ１の近くにマウス６が存在していることを検出する。例えば、近接センサー１１１は、コンピュータ１の周辺の予め決められたセンシング範囲内にマウス６が存在している場合、マウス６が近くに存在していることを検出し、その旨を中央制御部１０２に通知する。
本実施形態にかかる近接センサー１１１は、コンピュータ１の特定の位置に設けられ、同様の近接センサーを備えるマウス６が近接あるいは接触した場合に、その旨を通知する情報を近接判定部１２８に出力する。
報知部１１２は、例えば、サウンドスピーカー、ＬＥＤ（Ｌｉｇｈｔ Ｅｍｉｔｔｉｎｇ Ｄｉｏｄｅ）、振動モータであって、中央制御部１０２によって、着信処理や発信処理等の通話関連処理が実行された場合に、その旨を通知する。なお、通話関連処理の種類に応じて、サウンドスピーカーから発生する音のパターン、ＬＥＤが点灯あるいは点滅するパターン、あるいは、振動モータが振動するパターンが予め決められているものであってもよい。
【００２２】
次に、マウス６の各構成について説明する。
記憶部６０１は、マウス６の処理に用いる種々の情報を記憶する。この記憶部６０１は、例えば、プログラム記憶領域Ｍ３と、一時記憶領域Ｍ４と、を含む。なお、記憶部６０１は、例えば、ＳＤカード、ＩＣカードなど、着脱自在な可搬型メモリ（記録メディア）を含む構成であってもよく、図示しない所定の外部サーバ上にあってもよい。
プログラム記憶領域Ｍ３は、所定の動作手順に応じて本実施形態を実現するためのプログラムや各種のアプリケーションなどを記憶する記憶領域である。
一時記憶領域Ｍ４は、マウス６が動作するために必要な各種の情報を一時的に記憶するワーク領域である。
中央制御部６０２は、記憶部６０１内の各種のプログラムに従って、マウス６の全体動作を制御する中央演算処理装置やメモリなどを有している。
【００２３】
音声データ処理部６０５は、コンピュータ１から送受信部６１０を介して受信した復調された音声データが入力されると、入力する音声データに基づき、スピーカー６０７から音声を出力させる。また、音声データ処理部６０５は、マイク６０６からの入力音声データが入力されると、符号化した後、送受信部６１０を介してコンピュータ１に送信する。符号化した音声データを受信したコンピュータ１は、無線通信部１０４に出力する。
【００２４】
移動検出部６０８は、例えば、加速度センサー等であって、マウス６の移動方向および移動量を検出し、検出結果を中央制御部６０２に出力する。
【００２５】
送受信部６１０は、コンピュータ１とマウス６と通信可能に接続し、コンピュータ１との間で情報の送受信を行う。この送受信部６１０は、有線でコンピュータ１と接続されるものであってもよく、無線でコンピュータ１と接続されるものであってもよい。
報知部６１２は、例えば、サウンドスピーカー、ＬＥＤ、振動モータであって、中央制御部６０２によって、着信処理や発信処理等の通話関連処理が実行された場合に、その旨を通知する。なお、通話関連処理の種類に応じて、サウンドスピーカーから発生する音のパターン、ＬＥＤが点灯あるいは点滅するパターン、あるいは、振動モータが振動するパターンが予め決められているものであってもよい。
【００２６】
次に、図３を参照して、コンピュータ１の中央制御部１０２の構成の一例について説明する。図３は、コンピュータ１の中央制御部１０２の構成の一例を示すブロック図である。
中央制御部１０２は、情報処理部１２１と、通話関連処理部１２２と、通知制御部１２３と、表示制御部１２４と、操作処理制限部１２５と、操作処理許可部１２６と、移動軌跡判定部１２７と、近接判定部１２８と、操作状況判定部１２９と、を備える。
【００２７】
情報処理部１２１は、例えば、通話関連処理に伴うコンピュータ１における情報処理を実行する。この情報処理部１２１は、マウス６から入力する操作情報やタッチパネル１０８から入力する操作情報に基づき、受け付けた操作に従った情報処理を実行する。例えば、マウス６が移動された場合、情報処理部１２１は、マウス６の移動方向と移動量を示す操作情報に基づき、タッチパネル１０８の表示部１８２に表示されているポインタの位置を変更する情報処理を実行する。また、マウス６のクリックボタンが押下された場合、情報処理部１２１は、マウス６のクリックボタンが押下されたことを示す操作情報に基づき、クリックボタンの押下に応じた情報処理を実行し、処理結果を示す情報をタッチパネル１０８の表示部１８２に表示させる。
【００２８】
通話関連処理部１２２は、通話先である他の携帯電話端末３との通信接続を行うための通話関連処理を実行する。この通話関連処理とは、例えば、発信処理と、着信処理と、通話処理と、音量調整処理と、保留処理と、留守番電話応答処理と、着信拒否処理等を含む。
発信処理は、コンピュータ１が発信側である場合に、通話先である携帯電話端末３の宛先を呼び出し、着信側の携帯電話端末３が応答した場合、コンピュータ１と携帯電話端末３との通話を確立する処理である。
着信処理は、コンピュータ１が着信側である場合に、コンピュータ１を宛先として基地局２Ａを介して携帯電話端末３から呼び出され、着信側のコンピュータ１が応答した場合、コンピュータ１と携帯電話端末３との通話を確立する処理である。
通話処理は、発信処理あるいは着信処理により、コンピュータ１と携帯電話端末３との通話を確立した後、コンピュータ１と携帯電話端末３との間の通話による音声データの送受信を行う処理である。
【００２９】
通知制御部１２３は、通話関連処理部１２２が通話関連処理を実行した場合、通話関連処理の種類に応じて通話関連処理を実行したことを示す処理実行通知信号を生成し、送受信部１１０を介してマウス６に送信するよう制御する。例えば、通知制御部１２３は、通話関連処理部１２２が発信処理を実行した場合、発信処理を実行したことを示す発信処理実行通知信号Ｓ１を作成し、送受信部１１０を介してマウス６に送信する。また、通知制御部１２３は、通話関連処理部１２２が着信処理を実行した場合、着信処理を実行したことを示す着信処理実行通知信号Ｓ２を作成し、送受信部１１０を介してマウス６に送信する。
【００３０】
表示制御部１２４は、操作処理制限部１２５により情報処理や通話関連処理の実行が制限されている場合、タッチパネル１０８の表示部１８２に表示される表示内容の表示形態が、情報処理や通話関連処理の実行が制限されていない場合の表示形態と異なるように制御する。
【００３１】
操作処理制限部１２５は、情報処理部１２１が情報処理を実行する際や、通話関連処理部１２２が通話関連処理を実行する際、マウス６から送受信部１１０を介して受信した操作情報に基づく情報処理の実行を制限する。
本実施形態において、操作処理制限部１２５は、通話関連処理部１２２が通話関連処理の実行を開始したときから、予め決められた制限待機時間Ｔ１を経過したか否かを判定する。具体的に説明すると、通知制御部１２３は、通話関連処理部１２２が発信処理あるいは着信処理を実行した場合、これら処理の実行を開始したときから制限待機時間Ｔ１を経過したか否かを判定する。制限待機時間Ｔ１を経過した場合、通知制御部１２３は、マウス６から操作情報を受信した場合であっても、情報処理部１２１が受信した操作情報に基づき情報処理を実行することを禁止する。言い換えると、操作処理制限部１２５は、発信処理あるいは着信処理を実行したときから制限待機時間Ｔ１を経過するまでは、マウス６から受信した操作情報に基づく情報処理や通話関連処理を実行できる。
【００３２】
操作処理制限部１２５は、発信処理、着信処理、あるいは、マウス通話モードに従って通話処理を実行する場合、マウス６からの操作情報に基づく情報処理や通話関連処理の実行を制限する。
操作処理許可部１２６は、通話処理を中止する場合や、ハンズフリー通話モードに従って通話処理を実行する場合、制限されているマウス６からの操作情報に基づく情報処理や通話関連処理の実行を許可する。
【００３３】
移動軌跡判定部１２７は、送受信部１１０を介してマウス６から受信した移動検出部６０８の検出結果に基づき、マウス６の移動の軌跡が予め決められた移動の軌跡のパターン（移動軌跡パターン）と一致するか否かを判定する。例えば、マウス６の移動の軌跡が円に近い軌跡である場合、移動軌跡判定部１２７は、着信呼び出しに対して応答することを示す移動軌跡パターンと一致すると判定する。そして、移動軌跡判定部１２７は、判定結果を通話関連処理部１２２に通知する。また、移動軌跡判定部１２７は、マウス６を鉛直向の上方に移動した場合、移動軌跡判定部１２７は、マウス６がユーザによって耳の近くに持ち上げられた判定する。そして、移動軌跡判定部１２７は、着信呼び出しに対して応答することを示す移動軌跡パターンの動きが検出されたことを通話関連処理部１２２に通知する。さらに、移動軌跡判定部１２７は、マウス６の移動の軌跡が三角形に近い軌跡である場合、移動軌跡判定部１２７は、留守番電話にて対応することを示す移動軌跡パターンと一致すると判定する。そして、移動軌跡判定部１２７は、判定結果を通話関連処理部１２２に通知する。
【００３４】
近接判定部１２８は、近接センサー１１１の検出結果に基づき、マウス６とコンピュータ１とが互いに近接しているか、あるいは、接触しているかを判定し、判定結果を通話関連処理部１２２に出力する。この近接判定部１２８は、通話関連処理部１２２が着信処理を実行中に、マウス６とコンピュータ１とが互いに近接していること、あるいは、接触していることを検出した場合、呼び出しに応答することを指示する操作を入力したことを判定し、その旨を通話関連処理部１２２に通知する。また、近接判定部１２８は、通話関連処理部１２２が通話処理中に、マウス６とコンピュータ１とが互いに近接していること、あるいは、接触していることを検出した場合、保留状態にすることを指示する操作を入力したことを判定し、その旨を通話関連処理部１２２に通知する。
さらにまた、近接判定部１２８は、マウス６とコンピュータ１とが互いに近接していること、あるいは、接触していることを検出した場合、通話モードの設定を、本体通話モードとマイク通話モード間で切り換えることを指示する操作を入力したことを判定し、その旨を通話関連処理部１２２に通知する。
このように、ユーザがマウス６をコンピュータ１に近接させるだけで、通話関連処理を切り換えることが可能となり、ユーザの操作性を向上させることができる。
【００３５】
なお、本実施形態において、近接判定部１２８は、近接センサー１１１によって何らかの物体が接触あるいは近接したことが検出された場合であって、かつ、マウス６に設けられる近接センサーによって何らかの物体が接触あるいは近接したことが検出された場合に、コンピュータ１とマウス６とが接触あるいは近接していることを検出するものであってもよい。
例えば、近接センサー１１１は、自身が備える接触面に何らかの物体が接触したか否かを検出する。また、マウス６に設けられた近接センサーも、自身が備える接触面に何らかの物体が接触したか否かを検出する。コンピュータ１の近接センサー１１１は、何らかの物体が接触面に接触したことを検出した場合、物体が接触したことを示す信号を近接判定部１２８に出力する。また、マウス６に設けられた近接センサーは、何らかの物体が接触面に接触したことを検出した場合、物体が接触したことを示す信号を近接判定部１２８に出力する。近接判定部１２８は、近接センサー１１１およびマウス６から物体が接触したことを示す信号を、予め決められた時間内（例えば、数秒以内）に受け付けた場合、コンピュータ１とマウス６とが接触したことを検出する。なお、近接判定部１２８は、近接センサー１１１あるいはマウス６のいずれか一方から物体が接触したことを示す信号を入力した場合、コンピュータ１とマウス６とは近接あるいは接触していないことを検出する。
また、同様にして、近接判定部１２８は、近接センサー１１１が周辺の近接エリア内に何らかの物体が存在することを検出し、その検出結果を示す信号を入力するとともに、マウス６の近接センサーが周辺の近接エリア内に何らかの物体が存在することを検出し、その検出結果を示す信号をマウス６から受信した場合、コンピュータ１とマウス６とが近接したことを検出する。
【００３６】
さらに、近接判定部１２８は、コンピュータ１の送受信部１１０とマウス６の送受信部６１０との間の無線通信に基づき、コンピュータ１とマウス６との距離を算出して、コンピュータ１とマウス６とが接触あるいは近接していることを検出するものであってもよい。
例えば、近接判定部１２８は、コンピュータ１の送受信部１１０とマウス６の送受信部６１０と無線通信による信号の送受信において、信号の送受信にかかる時間を測定し、送受信にかかる時間に基づき、コンピュータ１とマウス６との距離を算出する。この近接判定部１２８は、算出したコンピュータ１とマウス６との距離が予め決められた距離以下であった場合、コンピュータ１とマウス６とが接触あるいは近接していることを検出する。
なお、近接判定部１２８は、上述の方法に限られず、以下に示す参考文献に記載されている技術を利用して、コンピュータ１とマウス６との距離を測定するものであってもよい。
参考文献：特開２００７−２７８７３１号公報、特開２０１０−２８３６９９号公報、特開２０１１−０３９０２０号公報、特開２０１１−０４１２１１号公報
また、近接判定部１２８は、コンピュータ１の送受信部１１０とマウス６の送受信部６１０と以外の無線通信部であって、コンピュータ１とマウス６とにそれぞれ設けられる無線通信部を用いて、コンピュータ１とマウス６との距離を測定するものであってもよい。
【００３７】
操作状況判定部１２９は、マウス６から受信した操作情報に基づき、予め決められた操作情報判定時間Ｔ３だけ過去から直前までの期間に、マウス６に対してユーザにより操作入力がなされたか否かを判定する。直前から操作情報判定時間Ｔ３だけ過去に入力された操作情報が記憶部１０１に記憶されている場合、操作状況判定部１２９は、マウス６がコンピュータ１に対する操作入力手段として使用されていると判定する。この場合、コンピュータ１は、マウス６に対して、着信処理が実行されたことを示す着信処理実行通知信号Ｓ２を送信することなく、コンピュータ１において、着信処理が実行されたことを通知する。
なお、操作状況判定部１２９は、これに限られず、例えば、マウス６に人体が触れていない時間が操作情報判定時間Ｔ３以上である場合や、操作情報判定時間Ｔ３以上マウス６がスタンバイ状態になっている場合、マウス６がコンピュータ１に対する操作入力手段として使用されていないと判定するものであってもよい。
【００３８】
次に、図４を参照して、本実施形態に係る通話システムにおける発信処理の一例について説明する。図４は、本実施形態に係る通話システムにおける発信処理の一例について説明するフローチャートである。
（ステップＳＴ１０１）
情報処理装置１の通話関連処理部１２２は、発信処理を指示する操作を受け付けたか否か判定する。例えば、通話関連処理部１２２は、発信処理を指示する操作信号をマウス６から送受信部１１０を介して受信した場合、発信処理を指示する操作を受け付けたと判定する。あるいは、発信処理を指示する操作信号がタッチパネル１０８から入力した場合、通話関連処理部１２２は、発信処理を指示する操作を受け付けたと判定する。
（ステップＳＴ１０２）
発信処理を指示する操作を受け付けた場合、通話関連処理部１２２は、発信処理を実行する。また、操作処理制限部１２５は、計時部１０９から入力されるクロック信号に基づき、通話関連処理部１２２が発信処理の実行を開始したときからの時間のカウントを開始する。
（ステップＳＴ１０３）
そして、通知制御部１２３は、発信処理を実行したことを示す発信処理実行通知信号Ｓ１を生成し、送受信部１１０を介してマウス６に送信する。
【００３９】
（ステップＳＴ１０４）
一方、マウス６の中央制御部６０２は、送受信部６１０を介して発信処理実行通知信号Ｓ１を受信したか否かを判定する。
（ステップＳＴ１０５）
マウス６は、発信処理実行通知信号Ｓ１を受信した場合、報知部６１２に対して、コンピュータ１が発信処理の実行を開始したことを示す報知処理を実行させる。例えば、報知部６１２がサウンドスピーカーである場合、発信処理の実行が開始されたことを表わす予め決められたパターンに従ってサウンドスピーカーから音を発生させる。また、報知部６１２がＬＥＤである場合、発信処理の実行が開始されたことを表わすパターンに従ってＬＥＤを点灯あるいは点滅させる。報知部６１２が振動モータである場合、発信処理の実行が開始されたことを表わすパターンに従って振動モータを振動させる。
このように、発信処理を実行した後、マウスから音や光が出力されたり、振動したりすることで、ユーザはマウス６を使用して通話することに思い至る可能性が高い。これにより、ユーザに対して、マウス６を受話器として使用し通話できることを直感的に認識させることができる。
【００４０】
（ステップＳＴ１０６）
次いで、コンピュータ１の操作処理制限部１２５は、カウントした時間に基づき、通話関連処理部１２２が発信処理の実行を開始したときから、予め決められた制限待機時間Ｔ１を経過したか否かを判定する。本実施形態において、制限待機時間Ｔ１は、例えば、３秒と設定されている。
（ステップＳＴ１０７）
通話関連処理部１２２が発信処理の実行を開始したときから制限待機時間Ｔ１を経過した場合、操作処理制限部１２５は、情報処理部１２１および通話関連処理部１２２に対して、マウス６から送受信部１１０を介して受信した操作情報に基づく全ての処理の実行を制限する。そして、操作処理制限部１２５は、マウス６からの操作信号に基づく処理を制限したことを示す情報を記憶部１０１の一時記憶領域Ｍ２に書き込む。本実施形態において、記憶部１０１は、一時記憶領域Ｍ２に、有効無効設定テーブル１１を格納している。操作処理制限部１２５は、マウス６からの操作信号に基づく処理の実行設定（図中の有効無効設定テーブル１１において“マウス操作処理”と記す）が無効設定であることを示すフラグを有効無効設定テーブル１１に書き込む。
【００４１】
これにより、コンピュータ１は、操作入力手段としてのマウス６の動作を禁止することができる。よって、発信処理中において、ユーザがマウス６を受話器のように使用している場合に、マウス６の操作入力部６０３が誤操作される事態を回避することができる。また、本実施形態のように、一定時間（制限待機時間Ｔ１）を経過した後、マウス６における操作入力の受け付けを制限し、一定時間（制限待機時間Ｔ１）を経過する前までは、マウス６における操作入力を受け付けることにより、いきなりマウス６が操作不能になる不便性をなくすことができる。例えば、発信先を間違えて誤発信してしまった場合、制限待機時間Ｔ１内であれば、マウス６を介して、発信中止を指示することができる。
なお、操作処理制限部１２５は、情報処理部１２１および通話関連処理部１２２に対して、タッチパネル１０８の操作部１８１が出力した操作情報に基づく全ての処理の実行を制限する処理はしない。
【００４２】
（ステップＳＴ１０８）
一方、通話関連処理部１２２が発信処理の実行を開始したときから制限待機時間Ｔ１を経過していない場合、マウス６からの操作信号に基づく処理は制限されていない。通話関連処理部１２２は、送受信部１１０を介してマウス６から、発信中止を指示する操作情報を受信したか否かを判定する。また、タッチパネル１０８からの操作を受け付け可能である場合、通話関連処理部１２２は、タッチパネル１０８の操作部１８１から発信中止を指示する操作情報を受信したか否かを判定する。
（ステップＳＴ１０９）
送受信部１１０を介してマウス６から、発信中止を指示する操作情報を受信した場合、通話関連処理部１２２は、実行を開始した発信処理を中止する。また、通話関連処理部１２２は、タッチパネル１０８の操作部１８１から、発信中止を指示する操作情報を受信した場合、実行を開始した発信処理を中止する。
【００４３】
（ステップＳＴ１１０）
一方、発信中止を指示する操作情報を受信しない場合、通話関連処理部１２２は、送受信部１１０を介してマウス６から、その他の通話関連処理を指示する操作情報を受信したか否かを判定する。また、タッチパネル１０８からの操作を受け付け可能である場合、通話関連処理部１２２は、タッチパネル１０８の操作部１８１から、その他の通話関連処理を指示する操作情報を受信したか否かを判定する。
（ステップＳＴ１１１）
送受信部１１０を介してマウス６から、その他の通話関連処理を指示する操作情報を受信した場合、通話関連処理部１２２は、指示されたその他通話関連処理を実行する。また、通話関連処理部１２２は、タッチパネル１０８の操作部１８１から、その他の通話関連処理を指示する操作情報を受信した場合、指示されたその他通話関連処理を実行する。
【００４４】
（ステップＳＴ１１２）
一方、その他の通話関連処理を指示する操作情報を受信しない場合、通話関連処理部１２２は、送受信部１１０を介してマウス６から、通話関連処理以外の処理（情報処理）を指示する操作情報を受信したか否かを判定する。また、タッチパネル１０８からの操作を受け付け可能である場合、通話関連処理部１２２は、タッチパネル１０８の操作部１８１から、通話関連処理以外の処理（情報処理）を指示する操作情報を受信したか否かを判定する。
（ステップＳＴ１１３）
送受信部１１０を介してマウス６から、通話関連処理以外の処理（情報処理）を指示する操作情報を受信した場合、通話関連処理部１２２は、マウス６から受信した操作情報に基づく情報処理の実行を制限する。また、通話関連処理部１２２は、タッチパネル１０８の操作部１８１から、通話関連処理以外の処理（情報処理）を指示する操作情報を受信した場合、タッチパネル１０８の操作部１８１から受信した操作情報に基づく情報処理の実行を制限する。
【００４５】
（ステップＳＴ１１４）
そして、操作処理許可部１２６は、記憶部１０１の一時記憶領域Ｍ２の有効無効設定テーブル１１を参照して、タッチパネル１０８からの操作信号に基づく処理の実行設定（図中の有効無効設定テーブル１１において“本体操作処理”と記す）が無効設定であるか否かを判定する。
（ステップＳＴ１１５）
有効無効設定テーブル１１において、“本体操作処理”に無効設定であることを示すフラグが立ててある場合、つまり、タッチパネル１０８からの操作を受け付けるか否かを示す設定が無効設定である場合、操作処理許可部１２６は、有効設定に変更する。
例えば、操作処理許可部１２６は、情報処理部１２１および通話関連処理部１２２に対して、タッチパネル１０８の操作部１８１から出力された操作情報に基づく全ての処理（情報処理および通話関連処理を含む）の実行を許可する。そして、操作処理許可部１２６は、有効無効設定テーブル１１において“本体操作処理”が有効設定であることを示すフラグを有効無効設定テーブル１１に書き込む。
（ステップＳＴ１１６）
そして、表示制御部１２４は、タッチパネル１０８の表示部１８２の表示態様を、マウス６から受信した操作情報に基づく情報処理の実行を制限されていることを示す態様に変更する。例えば、マウス６から受信した操作情報に基づく情報処理の実行を制限されていない状態において表示されているポインタを表示しないように変更する。また、マウス６から受信した操作情報に基づく情報処理の実行を制限されていない状態において、矢印形状のポインタを「×（バツ）印」のポインタに変更する。
【００４６】
（ステップＳＴ１１７）
そして、通話関連処理部１２２は、呼び出し先の携帯電話端末３が応答したか否かを判定する。
（ステップＳＴ１１８）
呼び出し先の携帯電話端末３が応答した場合、通話関連処理部１２２は、通話処理を実行する。
【００４７】
（ステップＳＴ１１９）
一方、呼び出し先の携帯電話端末３が応答しない場合、通話関連処理部１２２は、タッチパネル１０８の操作部１８１から、発信中止を指示する操作情報を受信したか否かを判定する。
（ステップＳＴ１２０）
タッチパネル１０８の操作部１８１から、発信中止を指示する操作情報を受信した場合、通話関連処理部１２２は、実行を開始した発信処理を中止する。なお、通話関連処理部１２２は、送受信部１１０を介してマウス６から発信中止を指示する操作情報を受信した場合、操作処理制限部１２５によってマウス６からの操作情報に基づく処理が制限されているため、なんら処理を実行しない。
【００４８】
（ステップＳＴ１２１）
一方、発信中止を指示する操作情報を受信しない場合、通話関連処理部１２２は、タッチパネル１０８の操作部１８１から、その他の通話関連処理を指示する操作情報を受信したか否かを判定する。
（ステップＳＴ１２２）
タッチパネル１０８の操作部１８１から、その他の通話関連処理を指示する操作情報を受信した場合、通話関連処理部１２２は、指示されたその他通話関連処理を実行する。なお、通話関連処理部１２２は、送受信部１１０を介してマウス６からその他の通話関連処理を指示する操作情報を受信した場合、操作処理制限部１２５によってマウス６からの操作情報に基づく処理が制限されているため、なんら処理を実行しない。
【００４９】
（ステップＳＴ１２３）
一方、その他の通話関連処理を指示する操作情報を受信しない場合、通話関連処理部１２２は、タッチパネル１０８の操作部１８１から、通話関連処理以外の処理（情報処理）を指示する操作情報を受信したか否かを判定する。
（ステップＳＴ１２４）
タッチパネル１０８の操作部１８１から、通話関連処理以外の処理（情報処理）を指示する操作情報を受信した場合、通話関連処理部１２２は、マウス６から受信した操作情報に基づく情報処理の実行を制限する。なお、通話関連処理部１２２は、送受信部１１０を介してマウス６からタッチパネル１０８の操作部１８１から、通話関連処理以外の処理（情報処理）を指示する操作情報を受信した場合、操作処理制限部１２５によってマウス６からの操作情報に基づく処理が制限されているため、なんら処理を実行しない。
【００５０】
次に、図５を参照して、本実施形態に係る通話システムにおける着信処理の一例について説明する。図５は、本実施形態に係る通話システムにおける着信処理の一例について説明するフローチャートである。
（ステップＳＴ２０１）
情報処理装置１の通話関連処理部１２２は、着信処理を指示する操作を受け付けたか否か判定する。例えば、通話関連処理部１２２は、着信処理を指示する操作信号をマウス６から送受信部１１０を介して受信した場合、着信処理を指示する操作を受け付けたと判定する。あるいは、着信処理を指示する操作信号がタッチパネル１０８から入力した場合、通話関連処理部１２２は、着信処理を指示する操作を受け付けたと判定する。
（ステップＳＴ２０２）
着信処理を指示する操作を受け付けた場合、通話関連処理部１２２は、着信処理を実行する。また、操作処理制限部１２５は、計時部１０９から入力されるクロック信号に基づき、通話関連処理部１２２が着信処理の実行を開始したときからの時間のカウントを開始する。
（ステップＳＴ２０３）
そして、通知制御部１２３は、着信処理を実行したことを示す着信処理実行通知信号Ｓ２を生成し、送受信部１１０を介してマウス６に送信する。
【００５１】
（ステップＳＴ２０４）
一方、マウス６の中央制御部６０２は、送受信部６１０を介して着信処理実行通知信号Ｓ２を受信したか否かを判定する。
（ステップＳＴ２０５）
マウス６は、着信処理実行通知信号Ｓ２を受信した場合、報知部６１２に対して、コンピュータ１が着信処理の実行を開始したことを示す報知処理を実行させる。例えば、報知部６１２がサウンドスピーカーである場合、着信処理の実行が開始されたことを表わす予め決められたパターンに従ってサウンドスピーカーから音を発生させる。また、報知部６１２がＬＥＤである場合、着信処理の実行が開始されたことを表わすパターンに従ってＬＥＤを点灯あるいは点滅させる。報知部６１２が振動モータである場合、着信処理の実行が開始されたことを表わすパターンに従って振動モータを振動させる。
これにより、ユーザに対して、マウス６を受話器として使用し通話できることを直感的に認識させることができる。
【００５２】
（ステップＳＴ２０６）
また、コンピュータ１は、マウス６に着信処理実行通知信号Ｓ２を送信した後、報知部１１２に対して、着信処理の実行を開始したことを示す報知処理を実行させる。例えば、報知部１１２がサウンドスピーカーである場合、着信処理の実行が開始されたことを表わす予め決められたパターンに従ってサウンドスピーカーから音を発生させる。また、報知部１１２がＬＥＤである場合、着信処理の実行が開始されたことを表わすパターンに従ってＬＥＤを点灯あるいは点滅させる。報知部１１２が振動モータである場合、着信処理の実行が開始されたことを表わすパターンに従って振動モータを振動させる。
これにより、ユーザに対して、コンピュータ１が通話先からの着信を受け付けたことを認識させることができる。
【００５３】
（ステップＳＴ２０７）
次いで、コンピュータ１の操作処理制限部１２５は、カウントした時間に基づき、通話関連処理部１２２が着信処理の実行を開始したときから、予め決められた制限待機時間Ｔ２を経過したか否かを判定する。本実施形態において、制限待機時間Ｔ２は、例えば、２秒と設定されている。
（ステップＳＴ２０８）
通話関連処理部１２２が発信処理の実行を開始したときから制限待機時間Ｔ２を経過した場合、操作処理制限部１２５は、情報処理部１２１および通話関連処理部１２２に対して、マウス６から送受信部１１０を介して受信した操作情報に基づく全ての処理の実行を制限する。そして、操作処理制限部１２５は、記憶部１０１の一時記憶領域Ｍ２の有効無効設定テーブル１１に、“マウス操作処理”が無効設定であることを示すフラグを書き込む。これにより、コンピュータ１は、操作入力手段としてのマウス６の動作を禁止することができる。
なお、操作処理制限部１２５は、情報処理部１２１および通話関連処理部１２２に対して、タッチパネル１０８の操作部１８１が出力した操作情報に基づく全ての処理の実行は制限しない。
【００５４】
（ステップＳＴ２０９）
そして、操作処理許可部１２６は、記憶部１０１の一時記憶領域Ｍ２の有効無効設定テーブル１１を参照して、タッチパネル１０８からの操作信号に基づく処理の実行設定“本体操作処理”が無効設定であるか否かを判定する。
（ステップＳＴ２１０）
有効無効設定テーブル１１において、“本体操作処理”に無効設定であることを示すフラグが立ててある場合、つまり、タッチパネル１０８からの操作を受け付けるか否かを示す設定が無効設定である場合、操作処理許可部１２６は、有効設定に変更する。
例えば、操作処理許可部１２６は、情報処理部１２１および通話関連処理部１２２に対して、タッチパネル１０８の操作部１８１から出力された操作情報に基づく全ての処理（情報処理および通話関連処理を含む）の実行を許可する。そして、操作処理許可部１２６は、有効無効設定テーブル１１において“本体操作処理”が有効設定であることを示すフラグを有効無効設定テーブル１１に書き込む。
（ステップＳＴ２１１）
そして、表示制御部１２４は、タッチパネル１０８の表示部１８２の表示態様を、マウス６から受信した操作情報に基づく情報処理の実行を制限されていることを示す態様に変更する。例えば、マウス６から受信した操作情報に基づく情報処理の実行を制限されていない状態において表示されているポインタを表示しないように変更する。また、マウス６から受信した操作情報に基づく情報処理の実行を制限されていない状態において、矢印形状のポインタを「×（バツ）印」のポインタに変更する。
【００５５】
（ステップＳＴ２１２）
そして、近接判定部１２８は、近接センサー１１１の検出結果に基づき、マウス６とコンピュータ１とが互いに近接（接触）しているか否かを判定する。
（ステップＳＴ２１３）
マウス６とコンピュータ１とが互いに近接（接触）していると判定した場合、近接判定部１２８は、その旨を通話関連処理部１２２に出力する。そして、通話関連処理部１２２は、通話処理を実行する。
【００５６】
（ステップＳＴ２１４）
一方、マウス６とコンピュータ１とが互いに近接（接触）していると判定しない場合、移動軌跡判定部１２７は、送受信部１１０を介してマウス６から受信した移動検出部６０８の検出結果に基づき、マウス６の移動の軌跡が予め決められた移動の軌跡のパターン（移動軌跡パターン）と一致するか否かを判定する。例えば、マウス６の移動の軌跡が円に近い軌跡である場合、移動軌跡判定部１２７は、着信呼び出しに対して応答することを示す移動軌跡パターンと一致すると判定する。そして、移動軌跡判定部１２７は、判定結果を通話関連処理部１２２に通知する。これにより、通話関連処理部１２２は、電話がかかってきたときに発信先からの着信要求に応えて応答する操作（着信応答を示す操作）が入力されたと判定し、ステップＳＴ２１３に移行し、通話処理を実行する。
【００５７】
（ステップＳＴ２１５）
一方、通話関連処理部１２２は、移動軌跡判定部１２７の判定結果に基づき、着信応答を示す操作が入力されたと判定しない場合、タッチパネル１０８の操作部１８１から着信応答を示す操作が入力されたか否かを判定する。
タッチパネル１０８の操作部１８１から着信応答を示す操作が入力された場合、通話関連処理部１２２は、ステップＳＴ２１３に移行し、通話処理を実行する。
【００５８】
（ステップＳＴ２１６）
一方、タッチパネル１０８の操作部１８１から着信応答を示す操作が入力されていない場合、通話関連処理部１２２は、タッチパネル１０８の操作部１８１から、その他の通話関連処理を指示する操作情報を受信したか否かを判定する。
（ステップＳＴ２１７）
タッチパネル１０８の操作部１８１から、その他の通話関連処理を指示する操作情報を受信した場合、通話関連処理部１２２は、指示されたその他通話関連処理を実行する。
【００５９】
次に、図６を参照して、本実施形態に係る通話システムにおける着信処理の他の例について説明する。図６は、本実施形態に係る通話システムにおける着信処理の他の例について説明するフローチャートである。なお、図６に示す処理フローは、図５に示したフローチャートのうち、ステップＳＴ２０１〜２０３、２０６の処理ステップと置き換えられる変形例である。
（ステップＳＴ３０１）
情報処理装置１の通話関連処理部１２２は、着信処理を指示する操作を受け付けたか否か判定する。例えば、通話関連処理部１２２は、着信処理を指示する操作信号をマウス６から送受信部１１０を介して受信した場合、着信処理を指示する操作を受け付けたと判定する。あるいは、着信処理を指示する操作信号がタッチパネル１０８から入力した場合、通話関連処理部１２２は、着信処理を指示する操作を受け付けたと判定する。
（ステップＳＴ３０２）
着信処理を指示する操作を受け付けた場合、通話関連処理部１２２は、着信処理を実行する。また、操作処理制限部１２５は、計時部１０９から入力されるクロック信号に基づき、通話関連処理部１２２が着信処理の実行を開始したときからの時間のカウントを開始する。
【００６０】
（ステップＳＴ３０３）
そして、操作状況判定部１２９は、マウス６から受信している操作情報に基づき、予め決められた操作情報判定時間Ｔ３だけ過去から直前までの期間に、マウス６に対してユーザにより操作入力がなされたか否かを判定する。例えば、操作状況判定部１２９は、記憶部１０１の一時記憶領域Ｍ２に、直前から操作情報判定時間Ｔ３だけ過去において、マウス６に対して入力された操作を示す操作情報が記憶されているか否かを判定する。
（ステップＳＴ３０４）
直前から操作情報判定時間Ｔ３だけ過去に入力された操作情報が記憶部１０１に記憶されている場合、操作状況判定部１２９は、直前までの操作情報判定時間Ｔ３内にマウス６に対して操作入力があったと判定する。つまり、操作状況判定部１２９は、マウス６がコンピュータ１に対する操作入力手段として使用されていると判定する。
この場合、操作状況判定部１２９は、報知部１１２に対して、着信処理の実行を開始したことを示す報知処理を実行させる。これにより、ユーザに対して、コンピュータ１が通話先からの着信応答を受け付けたことを認識させることができる。
【００６１】
（ステップＳＴ３０５）
一方、直前から操作情報判定時間Ｔ３だけ過去に入力された操作情報が記憶部１０１に記憶されていない場合、操作状況判定部１２９は、直前までの操作情報判定時間Ｔ３内にマウス６に対して操作入力がなかったと判定する。つまり、操作状況判定部１２９は、マウス６がコンピュータ１に対する操作入力手段として使用されていないと判定する。
この場合、操作状況判定部１２９は、通知制御部１２３に対して、マウス６に着信処理の実行を通知するよう指示する。そして、通知制御部１２３は、着信処理を実行したことを示す着信処理実行通知信号Ｓ２を生成し、送受信部１１０を介してマウス６に送信する。
【００６２】
次に、図７を参照して、本実施形態に係る通話システムにおける通話処理の一例について説明する。図７は、本実施形態に係る通話システムにおける通話処理の一例について説明するフローチャートである。
（ステップＳＴ４０１）
通話関連処理部１２２は、通話処理Ａを実行する。なお、通話処理Ａの詳細な説明については、図８を参照して詳細に説明する。この通話処理Ａとは、マウス通話モードが設定されている場合に、マウス６を利用した通話をするための通話処理である。
（ステップＳＴ４０２）
そして、近接判定部１２８は、近接センサー１１１の検出結果に基づき、マウス６とコンピュータ１とが互いに近接（接触）しているか否かを判定する。
（ステップＳＴ４０３）
マウス６とコンピュータ１とが互いに近接（接近）していると判定した場合、近接判定部１２８は、その旨を通話関連処理部１２２に出力する。そして、通話関連処理部１２２は、通話処理Ａを実行中であるか否かを判定し、通話処理Ａを実行中である場合、ステップＳＴ４０１を戻って、通話処理Ａの実行を続ける。
（ステップＳＴ４０４）
一方、ステップＳＴ４０３において、通話処理Ａを実行中でない場合、通話関連処理部１２２は、通話処理Ｂの実行を開始する。なお、通話処理Ｂの詳細な説明については、図９を参照して詳細に説明する。この通話処理Ｂとは、ハンズフリー通話モードが設定されている場合に、マウス６を利用せずに通話をするための通話処理である。
【００６３】
（ステップＳＴ４０５）
一方、マウス６とコンピュータ１とが互いに近接（接触）していると判定しない場合、通話関連処理部１２２は、通話モードを切り換える切替操作を、タッチパネル１０８の操作部１８１を介して入力したか否かを判定する。ここでは、通話モードとして、マウス通話モードが設定されているため、通話関連処理部１２２は、ハンズフリー通話モードに変更する操作が入力されたか否かを判定する。
（ステップＳＴ４０６）
そして、通話モードを切り換える切替操作を入力しない場合、通話関連処理部１２２は、通話処理を中止する中止操作を、タッチパネル１０８の操作部１８１を介して入力したか否かを判定する。
（ステップＳＴ４０７）
通話処理を中止する中止操作をタッチパネル１０８の操作部１８１を介して入力した場合、通知制御部１２３は、通話処理Ａを終了する。
【００６４】
（ステップＳＴ４０８）
そして、通話関連処理部１２２は、通話処理を終了したことを通知するよう通知制御部１２３に指示する。通知制御部１２３は、通話処理を終了したことを示す通話処理終了通知信号Ｓ３を、送受信部１１０を介してマウス６に送信する。なお、マウス６の中央制御部６０２は、通話処理終了通知信号Ｓ３を受信した場合、音声データ処理部６０５に対して、マイク６０６からの音声入力を制限するとともに、スピーカーからの音声出力を制限するよう制御する。
【００６５】
（ステップＳＴ４０９）
ついで、操作処理許可部１２６は、記憶部１０１の一時記憶領域Ｍ２の有効無効設定テーブル１１を参照して、マウス６からの操作信号に基づく処理“マウス操作処理”が無効設定であるか否かを判定する。
有効無効設定テーブル１１において、“マウス操作処理”に無効設定であることを示すフラグが立ててある場合、つまり、マウス６からの操作を受け付けるか否かを示す設定が無効設定である場合、操作処理許可部１２６は、有効設定に変更する。
例えば、操作処理許可部１２６は、情報処理部１２１および通話関連処理部１２２に対して、マウス６の操作部１８１から出力された操作情報に基づく全ての処理（情報処理および通話関連処理を含む）の実行を許可する。そして、操作処理許可部１２６は、有効無効設定テーブル１１において“マウス操作処理”が有効設定であることを示すフラグを有効無効設定テーブル１１に書き込む。
【００６６】
（ステップＳＴ４１０）
そして、操作処理許可部１２６は、記憶部１０１の一時記憶領域Ｍ２の有効無効設定テーブル１１を参照して、タッチパネル１０８からの操作信号に基づく処理の実行設定“本体操作処理”が無効設定であるか否かを判定する。
（ステップＳＴ４１１）
有効無効設定テーブル１１において、“本体操作処理”に無効設定であることを示すフラグが立ててある場合、つまり、タッチパネル１０８からの操作を受け付けるか否かを示す設定が無効設定である場合、操作処理許可部１２６は、有効設定に変更する。
例えば、操作処理許可部１２６は、情報処理部１２１および通話関連処理部１２２に対して、タッチパネル１０８の操作部１８１から出力された操作情報に基づく全ての処理（情報処理および通話関連処理を含む）の実行を許可する。そして、操作処理許可部１２６は、有効無効設定テーブル１１において“本体操作処理”が有効設定であることを示すフラグを有効無効設定テーブル１１に書き込む。
（ステップＳＴ４１２）
そして、表示制御部１２４は、タッチパネル１０８の表示部１８２の表示態様を、マウス６から受信した操作情報に基づく情報処理の実行が許可されていることを示す態様に変更する。例えば、マウス６から受信した操作情報に基づく情報処理の実行を制限されていない状態において表示されているポインタを、表示するように変更する。また、マウス６から受信した操作情報に基づく情報処理の実行を制限されていない状態において「×（バツ）印」のポインタを、矢印形状のポインタに変更する。
【００６７】
（ステップＳＴ４１３）
一方、ステップＳＴ４０６において、通話処理を中止する中止操作をタッチパネル１０８の操作部１８１を介して入力しない場合、通話関連処理部１２２は、タッチパネル１０８の操作部１８１を介して、その他の通話関連処理を指示する操作情報を入力したか否かを判定する。
（ステップＳＴ４１４）
タッチパネル１０８の操作部１８１を介して、その他の通話関連処理を指示する操作情報を入力した場合、通話関連処理部１２２は、指示されたその他通話関連処理を実行する。
【００６８】
次に、図８を参照して、本実施形態に係る通話システムにおける通話処理Ａの一例について説明する。図８は、本実施形態に係る通話システムにおける通話処理Ａの一例について説明するフローチャートである。
（ステップＳＴ６０１）
通話関連処理部１２２は、通話処理を開始する場合、通知制御部１２３に対して、マウス６を受話器として使用するマウス通話モードに設定されていることを通知するよう通知制御部１２３に指示する。そして、通知制御部１２３は、送受信部１１０を介して、マウス６に対して、マウス通話モードにおける通話処理の開始を示す通話処理実行通知信号Ｓ４を送信する。
【００６９】
（ステップＳＴ６０２）
一方、マウス６の中央制御部６０２は、送受信部６１０を介して通話処理実行通知信号Ｓ４を受信したか否かを判定する。
（ステップＳＴ６０３）
マウス６は、通話処理実行通知信号Ｓ４を受信した場合、報知部６１２に対して、コンピュータ１が通話処理の実行を開始したことを示す報知処理を実行させる。例えば、報知部６１２がサウンドスピーカーである場合、通話処理の実行が開始されたことを表わす予め決められたパターンに従ってサウンドスピーカーから音を発生させる。また、報知部６１２がＬＥＤである場合、通話処理の実行が開始されたことを表わすパターンに従ってＬＥＤを点灯あるいは点滅させる。報知部６１２が振動モータである場合、通話処理の実行が開始されたことを表わすパターンに従って振動モータを振動させる。
これにより、ユーザに対して、マウス６を受話器として使用し、通話が開始できることを認識させることができる。
【００７０】
（ステップＳＴ６０４）
そして、マウス６の中央制御部６０２は、マウス６を受話器として使用する通話処理を実行する。つまり、中央制御部６０２は、音声データ処理部６０５に対して、コンピュータ１から送受信部６１０を介して受信した音声データに基づき、スピーカー６０７から音声出力させる。また、中央制御部６０２は、音声データ処理部６０５に対して、マイク６０６からの入力音声データを符号化してコンピュータ１に送信させる。
【００７１】
（ステップＳＴ６０５）
また、コンピュータ１の通話関連処理部１２２は、マウス６を受話器として使用する通話処理を実行する。つまり、通話関連処理部１２２は、無線通信部１０４に対して、アンテナ１０３を介して無線部１４１が受信した信号を、ベースバンド部１４２の受信側から取り込んで音声データを復調した後、復調された音声データを送受信部１１０を介してマウス６に送信する。また、通話関連処理部１２２は、送受信部１１０を介してマウス６から受信した信号に基づき、スピーカー１０７から音声出力させる。
【００７２】
（ステップＳＴ６０６）
そして、操作処理制限部１２５は、情報処理部１２１および通話関連処理部１２２に対して、マウス６から送受信部１１０を介して受信した操作情報に基づく全ての処理の実行を制限する。そして、操作処理制限部１２５は、マウス６からの操作信号に基づく処理を制限したことを示す情報を記憶部１０１の一時記憶領域Ｍ２に書き込む。本実施形態において、記憶部１０１は、一時記憶領域Ｍ２に、有効無効設定テーブル１１を格納している。操作処理制限部１２５は、マウス６からの操作信号に基づく処理の実行設定（図中の有効無効設定テーブル１１において“マウス操作処理”と記す）が無効設定であることを示すフラグを有効無効設定テーブル１１に書き込む。
これにより、コンピュータ１は、操作入力手段としてのマウス６の動作を禁止することができる。
なお、操作処理制限部１２５は、情報処理部１２１および通話関連処理部１２２に対して、タッチパネル１０８の操作部１８１が出力した操作情報に基づく全ての処理の実行を制限する処理はしない。
【００７３】
（ステップＳＴ６０７）
そして、操作処理許可部１２６は、記憶部１０１の一時記憶領域Ｍ２の有効無効設定テーブル１１を参照して、タッチパネル１０８からの操作信号に基づく処理“本体操作処理”が無効設定であるか否かを判定する。
（ステップＳＴ６０８）
有効無効設定テーブル１１において、“本体操作処理”に無効設定であることを示すフラグが立ててある場合、つまり、タッチパネル１０８からの操作を受け付けるか否かを示す設定が無効設定である場合、操作処理許可部１２６は、有効設定に変更する。
例えば、操作処理許可部１２６は、情報処理部１２１および通話関連処理部１２２に対して、タッチパネル１０８の操作部１８１から出力された操作情報に基づく全ての処理（情報処理および通話関連処理を含む）の実行を許可する。そして、操作処理許可部１２６は、有効無効設定テーブル１１において“本体操作処理”が有効設定であることを示すフラグを有効無効設定テーブル１１に書き込む。
（ステップＳＴ６０９）
そして、表示制御部１２４は、タッチパネル１０８の表示部１８２の表示態様を、マウス６から受信した操作情報に基づく情報処理の実行を制限されていることを示す態様に変更する。例えば、マウス６から受信した操作情報に基づく情報処理の実行を制限されていない状態において表示されているポインタを表示しないように変更する。また、マウス６から受信した操作情報に基づく情報処理の実行を制限されていない状態において、矢印形状のポインタを「×（バツ）印」のポインタに変更する。
【００７４】
次に、図９を参照して、本実施形態に係る通話システムにおける通話処理Ｂの一例について説明する。図９は、本実施形態に係る通話システムにおける通話処理Ｂの一例について説明するフローチャートである。
（ステップＳＴ７０１）
通話関連処理部１２２は、通話処理を開始する場合、通知制御部１２３に対して、マウス６を受話器として使用しないハンズフリー通話モードに設定されていることを通知するよう通知制御部１２３に指示する。そして、通知制御部１２３は、送受信部１１０を介して、マウス６に対して、ハンズフリー通話モードにおける通話処理の開始を示す通話処理実行通知信号Ｓ５を送信する。
なお、マウス６の中央制御部６０２は、送受信部６１０を介して通話処理実行通知信号Ｓ５を受信したか否かを判定する。
マウス６の中央制御部６０２は、通話処理実行通知信号Ｓ５を受信した場合、音声データ処理部６０５に対して、マイク６０６からの音声入力を制限するとともに、スピーカーからの音声出力を制限するよう制御する。
【００７５】
（ステップＳＴ７０２）
また、コンピュータ１の通話関連処理部１２２は、ハンズフリー通話によりコンピュータ１を介して音声入力および音声出力を行う通話処理を実行する。つまり、通話関連処理部１２２は、無線通信部１０４に対して、アンテナ１０３を介して無線部１４１が受信した信号を、ベースバンド部１４２の受信側から取り込んで受信ベースバンド信号に復調した後、復調された受信ベースバンド信号を音声データ処理部１０５に出力する。この音声データ処理部１０５は、入力した信号に基づき、スピーカー１０７から音声を出力する。また、通話関連処理部１２２は、音声データ処理部１０５がマイク１０６から音声を入力した場合、無線通信部１０４に出力させる。この無線通信部１０４は、音声データ処理部１０５からの入力音声データを中央制御部１０２から取り込み、多重分離部１４３を介して送信ベースバンド信号に符号化した後、ベースバンド部１４２の送信側に入力させる。そして、無線通信部１０４は、無線部１４１を介して、符合化した信号をアンテナ１０３を介して、通信先である携帯電話端末３に送信する。
【００７６】
（ステップＳＴ７０３）
そして、操作処理許可部１２６は、記憶部１０１の一時記憶領域Ｍ２の有効無効設定テーブル１１を参照して、マウス６からの操作信号に基づく処理の実行設定“マウス操作処理”が無効設定であるか否かを判定する。
有効無効設定テーブル１１において、“マウス操作処理”に無効設定であることを示すフラグが立ててある場合、つまり、マウス６からの操作を受け付けるか否かを示す設定が無効設定である場合、操作処理許可部１２６は、有効設定に変更する。
例えば、操作処理許可部１２６は、情報処理部１２１および通話関連処理部１２２に対して、マウス６から受信する操作情報に基づく全ての処理（情報処理および通話関連処理を含む）の実行を許可する。そして、操作処理許可部１２６は、有効無効設定テーブル１１において“マウス操作処理”が有効設定であることを示すフラグを有効無効設定テーブル１１に書き込む。
【００７７】
（ステップＳＴ７０４）
そして、操作処理許可部１２６は、記憶部１０１の一時記憶領域Ｍ２の有効無効設定テーブル１１を参照して、タッチパネル１０８からの操作信号に基づく処理“本体操作処理”が無効設定であるか否かを判定する。
（ステップＳＴ７０５）
有効無効設定テーブル１１において、“本体操作処理”に無効設定であることを示すフラグが立ててある場合、つまり、タッチパネル１０８からの操作を受け付けるか否かを示す設定が無効設定である場合、操作処理許可部１２６は、有効設定に変更する。
例えば、操作処理許可部１２６は、情報処理部１２１および通話関連処理部１２２に対して、タッチパネル１０８の操作部１８１から出力された操作情報に基づく全ての処理（情報処理および通話関連処理を含む）の実行を許可する。そして、操作処理許可部１２６は、有効無効設定テーブル１１において“本体操作処理”が有効設定であることを示すフラグを有効無効設定テーブル１１に書き込む。
（ステップＳＴ７０６）
そして、表示制御部１２４は、タッチパネル１０８の表示部１８２の表示態様を、マウス６から受信した操作情報に基づく情報処理の実行が許可されていることを示す態様に変更する。例えば、マウス６から受信した操作情報に基づく情報処理の実行を制限されていない状態において表示されているポインタを、表示するように変更する。また、マウス６から受信した操作情報に基づく情報処理の実行を制限されていない状態において「×（バツ）印」のポインタを、矢印形状のポインタに変更する。
【００７８】
また、本実施の形態に係るコンピュータ１とマウス６は、内部にコンピュータシステムを有している。そして、動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、中央制御部及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【００７９】
また、各ステップを実現するためのプログラムをコンピュータ読み取り可能な記録媒体に記録して、また、この機能を実現するためのプログラムをコンピュータ読み取り可能な記録媒体に記録して、この記録媒体に記録されたプログラムをコンピュータシステムに読み込ませ、実行することにより、検出対象物の形状情報の推定値を算出する処理を行ってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００８０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【００８１】
１…コンピュータ、１０１…記憶部、１０２…中央制御部、１０３…アンテナ、１０４…無線通信部、１０５…音声データ処理部、１０６…マイク、１０７…スピーカー、１０８…タッチパネル、１０９…計時部、１１０…送受信部、１１１…近接センサー、１１２…報知部、６…マウス、６０１…記憶部、６０２…中央制御部、６０５…音声データ処理部、６０６…マイク、６０７…スピーカー、６０８…移動検出部、６１０…送受信部、６１２…報知部
【図１】
2013066011.tif 000003
【図２】
2013066011.tif 000004
【図３】
2013066011.tif 000005
【図４】
2013066011.tif 000006
【図５】
2013066011.tif 000007
【図６】
2013066011.tif 000008
【図７】
2013066011.tif 000009
【図８】
2013066011.tif 000010
【図９】
2013066011.tif 000011